(57)【特許請求の範囲】
【請求項１】
対面重合した略矩形の生地の側辺（12）が止着されており、かつ、開口辺（11）周縁には紐（３）が挿通する紐通し部（11ａ）が形成され、前記開口辺（11）の対辺には開口した連結辺（13）が形成されている一方、前記紐通し部（11ａ）には紐口（11ｂ）が設けられており、この紐口（11ｂ）から前記紐（３）の端部（31）が延出して、袋胴部材（１）が形成されているとともに、
対面重合した略矩形の生地の側辺（22）かつ底辺（23）がそれぞれ止着されて袋底部材（２）が形成されており、
この袋底部材（２）の開口辺（21）と前記袋胴部材（１）の連結辺（13）とが止着して連結されており、
この連結部分を折り曲げて袋底部材（２）を袋胴部材（１）の内側に収容して一体に重合することにより平坦ならしめて、当該袋底部材（２）の内側に金封（Ａ）を収容して、袋胴部材（１）の外周に紐（３）を巻き付けて当該紐（３）を係止可能である一方、
袋底部材（２）が袋胴部材（１）の外側に取り出された状態で紐（３）を引き絞ることによって、袋胴部材（１）と袋底部材（２）とが一体をなす巾着袋を構成することを特徴とする巾着袋兼用金封包み。
【請求項２】
袋底部材（２）の開口辺（21）と袋胴部材（１）の連結辺（13）とは、これらの端縁同士が袋外側または袋内側に揃い向いた状態で突出して、端縁近傍に沿って止着されて連結されていることを特徴とする請求項１記載の巾着袋兼用金封包み。
【請求項３】
袋胴部材（１）の開口辺（11）の中央部近傍に紐口（11ｂ）が設けられていることを特徴とする請求項１または２記載の巾着袋兼用金封包み。
【請求項４】
袋胴部材（１）の紐通し部（11ａ）内には二本の紐（３・３）が挿通されており、かつ、前記紐通し部（11ａ）には一対の紐口（11ｂ・11ｂ）が対向位置に設けられ、各紐口（11ｂ）から紐（３）の端部（31）がそれぞれ延出することによって、
袋底部材（２）の内側に金封（Ａ）を収容して、袋胴部材（１）に紐（３）を巻き付けて当該紐（３）同士を係止可能であることを特徴とする請求項１〜３の何れか一つに記載の巾着袋兼用金封包み。
【請求項５】
紐（３・３）の長さが互いに異なり、長い方の紐（３）を袋胴部材（１）に巻き付けることによって、袋胴部材（１）の正面において当該紐（３・３）同士を係止可能であることを特徴とする請求項４記載の巾着袋兼用金封包み。
【請求項６】
一方の紐（３）の端部（31）に輪部（31ａ）が形成される一方、他方の紐（３）の端部（31）にボタン部（31ｂ）が配設され、このボタン部（31ｂ）を輪部（31ａ）に挿通して端部（31・31）同士が係止可能であることを特徴とする請求項４または５記載の巾着袋兼用金封包み。
【発明の詳細な説明】
【技術分野】
【０００１】
本発明は、金封包みの改良、更に詳しくは、金封を確実に収容して、かつ、金封包み本体も贈答の対象にすることができ、しかも、金封の受領後には巾着袋として使用することができる巾着袋兼用金封包みに関するものである。
【背景技術】
【０００２】
周知のとおり、慶弔時において、祝儀袋や香典、熨斗袋などの金封を先方に手渡す際には、袱紗に包んだり、既製品の金封包み（例えば、特許文献１参照）などを使用することがマナーとなっている。
【０００３】
しかしながら、かかる従来の金封包みは、金封を運ぶための道具であって、包みから中身の金封を取り出して先方に手渡すことで用を果たしてしまうため、先方に対する祝意や弔意が、贈答した金銭により評価されてしまうおそれがある。
【０００４】
また、金封を装飾的に構成し、この金封そのものを巾着袋として再利用できるものが開示されている（特許文献２参照）。
【０００５】
しかしながら、かかる金封は、この金封の材料として使用されていたシート材を再利用するものであって、新たな巾着袋を作製するには、このシートを裁断して縫合しなければならないため、作業が面倒であるという不満がある。
【先行技術文献】
【特許文献】
【０００６】
【特許文献１】実開平７−１７７６８号公報
【特許文献２】実開平５−８２８６４号公報
【発明の概要】
【発明が解決しようとする課題】
【０００７】
本発明は、従来の金封包みに上記のような問題があったことに鑑みて為されたものであり、その目的とするところは、金封を確実に収容して、かつ、金封包み本体も贈答の対象にすることができ、しかも、金封の受領後には巾着袋として使用することができる巾着袋兼用金封包みを提供することにある。
【課題を解決するための手段】
【０００８】
本発明者が上記技術的課題を解決するために採用した手段を、添付図面を参照して説明すれば、次のとおりである。
【０００９】
即ち、本発明は、対面重合した略矩形の生地の側辺12を止着して、かつ、開口辺11周縁には紐３が挿通する紐通し部11ａを形成して、前記開口辺11の対辺には開口した連結辺13を形成する一方、前記紐通し部11ａには紐口11ｂを設け、この紐口11ｂから前記紐３の端部31を延出させて、袋胴部材１を形成するとともに、
対面重合した略矩形の生地の側辺22かつ底辺23をそれぞれ止着して袋底部材２を形成し、
この袋底部材２の開口辺21と前記袋胴部材１の連結辺13とを止着して連結して、
この連結部分を折り曲げて袋底部材２を袋胴部材１の内側に収容して一体に重合することにより平坦ならしめて、当該袋底部材２の内側に金封Ａを収容して、袋胴部材１の外周に紐３を巻き付けて当該紐３を係止可能にする一方、
袋底部材２が袋胴部材１の外側に取り出された状態で紐３を引き絞ることによって、袋胴部材１と袋底部材２とが一体をなす巾着袋を構成するという技術的手段を採用したことによって、巾着袋兼用金封包みを完成させた。
【００１０】
また、本発明は、上記課題を解決するために、必要に応じて上記手段に加え、袋底部材２の開口辺21と袋胴部材１の連結辺13とは、これらの端縁同士を袋外側または袋内側に揃い向いた状態で突出させて、端縁近傍に沿って止着して連結するという技術的手段を採用することができる。
【００１１】
更にまた、本発明は、上記課題を解決するために、必要に応じて上記手段に加え、袋胴部材１の開口辺11の中央部近傍に紐口11ｂを設けるという技術的手段を採用することができる。
【００１２】
更にまた、本発明は、上記課題を解決するために、必要に応じて上記手段に加え、袋胴部材１の紐通し部11ａ内には二本の紐３・３を挿通して、かつ、前記紐通し部11ａには一対の紐口11ｂ・11ｂを対向位置に設け、各紐口11ｂから紐３の端部31をそれぞれ延出することによって、
袋底部材２の内側に金封Ａを収容して、袋胴部材１に紐３を巻き付けて当該紐３同士を係止可能にするという技術的手段を採用することができる。
【００１３】
更にまた、本発明は、上記課題を解決するために、必要に応じて上記手段に加え、紐３・３の長さが互いに異なり、長い方の紐３を袋胴部材１に巻き付けることによって、袋胴部材１の正面において当該紐３・３同士を係止可能にするという技術的手段を採用することができる。
【００１４】
更にまた、本発明は、上記課題を解決するために、必要に応じて上記手段に加え、一方の紐３の端部31に輪部31ａを形成する一方、他方の紐３の端部31にボタン部31ｂを配設し、このボタン部31ｂを輪部31ａに挿通して端部31・31同士を係止可能にするという技術的手段を採用することができる。
【発明の効果】
【００１５】
本発明は、対面重合した略矩形の生地の側辺を止着して、かつ、開口辺周縁には紐が挿通する紐通し部を形成して、前記開口辺の対辺には開口した連結辺を形成する一方、前記紐通し部には紐口を設け、この紐口から前記紐の端部を延出させて、袋胴部材を形成するとともに、対面重合した略矩形の生地の側辺かつ底辺をそれぞれ止着して袋底部材を形成したことによって、
この袋底部材の開口辺と前記袋胴部材の連結辺とを止着して連結して、この連結部分を折り曲げて袋底部材を袋胴部材の内側に収容して一体に重合することにより平坦ならしめて、当該袋底部材の内側に金封を収容して、袋胴部材の外周に紐を巻き付けて当該紐を係止可能にする一方、袋底部材が袋胴部材の外側に取り出された状態で紐を引き絞ることによって、袋胴部材と袋底部材とが一体をなす巾着袋を構成することができる。
【００１６】
したがって、本発明によれば、金封を確実に収容して、かつ、金封包み本体も贈答の対象にすることができることから、贈り手の個性を表現することができ、贈る金銭以上の付加価値を与えることができる。
【００１７】
しかも、金封の受領後には巾着袋として使用することができることから、極めて実用的であり、贈り手の想いを継続することができる。
【００１８】
また、必要に応じて、古着の生地を使用することにより、資源を有効利用してリサイクルにも貢献することができることから、産業上の利用価値は頗る大きい。
【図面の簡単な説明】
【００１９】
【図１】本発明の第１実施形態の巾着袋兼用金封包みを表わす分解斜視図である。
【図２】本発明の第１実施形態の巾着袋兼用金封包みを表わす全体斜視図である。
【図３】本発明の第１実施形態の巾着袋兼用金封包みの金封包みとしての使用状態を表わす全体斜視図である。
【図４】本発明の第１実施形態の巾着袋兼用金封包みの連結部分を表わす説明断面図である。
【図５】本発明の第１実施形態の巾着袋兼用金封包みの金封包みとしての使用状態を表わす全体斜視図である。
【図６】本発明の第２実施形態の巾着袋兼用金封包みを表わす全体斜視図である。
【図７】本発明の第２実施形態の巾着袋兼用金封包みの金封包みとしての使用状態を表わす全体斜視図である。
【図８】本発明の第２実施形態の巾着袋兼用金封包みの金封包みとしての使用状態を表わす全体斜視図である。
【発明を実施するための形態】
【００２０】
『第１実施形態』
本発明の第１実施形態を図１から図５に基づいて説明する。図中、符号１で指示するものは袋胴部材であり、また、符号２で指示するのは袋底部材であり、符号３で指示するものは紐である。
【００２１】
しかして、本発明の巾着袋兼用金封包みを構成するにあっては、まず、図１に示すように、対面重合した略矩形の生地の側辺12を止着する。本実施形態における生地には織物を採用するが、編物や不織布、合成樹脂やゴムなどのシート材を採用することもできる。
【００２２】
また、二枚の生地を対面重合させて両側辺12・12を止着する。この生地は二枚に限らず、一枚の生地を折り返して対面重合させて一方の側辺12、あるいは両側辺12・12を止着するものであっても良い。この際、適宜、襠を設けることもできる。止着方法としては、縫合や接着剤、熱融着などを採用することができる。
【００２３】
次いで、開口辺11周縁には紐３が挿通する紐通し部11ａを形成する。この紐３は長手状の部材であれば組織や材質を問わない。また、紐通し部11ａは、端縁部を折り返してループ状に形成することができる。本実施形態では、この紐通し部11ａを全周に亙って形成するが、部分的にループを形成するものであっても良い。
【００２４】
そして、前記開口辺11の対辺には、開口した連結辺13を形成する（図１参照）。
【００２５】
そしてまた、前記紐通し部11ａには紐口11ｂを設け、この紐口11ｂから前記紐３の端部31を延出させる。本実施形態では、一本の輪状の紐３を紐通し部11ａに挿通して、この紐通し部11ａの周長に対する紐３の余剰分が紐口11ｂから延出して端部31を形成している。このようにして、袋胴部材１が形成されている。
【００２６】
一方、対面重合した略矩形の生地の側辺22かつ底辺23をそれぞれ止着して袋底部材２を形成する。この生地は前記袋胴部材１と同様である。
【００２７】
また、二枚の生地を対面重合させて両側辺22・22かつ底辺23をそれぞれ止着する。この生地は二枚に限らず、一枚の生地を底辺23で折り返して対面重合させて両側辺22・22を止着するものであっても良い。この際、適宜、襠を設けることもできる。
【００２８】
そして、この袋底部材２の開口辺21と前記袋胴部材１の連結辺13とを止着して連結する（図２参照）。このように構成したことによって、この連結部分を折り曲げて袋底部材２を袋胴部材１の内側に収容して一体に重合することにより平坦ならしめて、当該袋底部材２の内側に金封Ａを収容することができる（図３参照）。そして、袋胴部材１の外周に紐３を巻き付けて当該紐３を係止可能である。
【００２９】
本実施形態では、図４（ａ）に示すように、開口辺21と連結辺13との端縁同士を袋外側（または袋内側）に揃い向けた状態で突出させて、端縁近傍に沿って止着して連結する。こうすることによって、この連結部分を折り曲げ易くなり、金封包みとしての使用時において袋底部材２を袋胴部材１の内側に折り込んだ際にも連結部分の収まりが良く（図４（ｂ）参照）、一体に重合することによって、より確実に平坦にすることができる。
【００３０】
また、袋胴部材１の外周に紐３を巻き付けて当該紐３を係止する方法としては、紐３を結束したり（図５参照）、紐３にボタンやリング、フックなどの係止部材を設けることができる。
【００３１】
なお、本実施形態では、袋胴部材１の開口辺11の中央部近傍に紐口11ｂを設けることができ、金封Ａが袋から飛び出すのを効果的に防止することができる。
【００３２】
そして、袋底部材２が袋胴部材１の外側に取り出された状態で、紐３を引き絞ることによって、袋胴部材１と袋底部材２とが一体をなす巾着袋を構成することができる（図２参照）。
【００３３】
『第２実施形態』
次に、本発明の第２実施形態を図６から図８に基づいて説明する。本実施形態では、袋胴部材１の紐通し部11ａ内には二本の紐３・３を挿通して、かつ、前記紐通し部11ａには一対の紐口11ｂ・11ｂを対向位置に設けて、各紐口11ｂから紐３の端部31をそれぞれ延出させて構成する（図６参照）。
【００３４】
こうすることによって、袋底部材２の内側に金封Ａを収容して、袋胴部材１に紐３を巻き付けて当該紐３同士を係止することができる。本実施形態では、紐３の端部31同士を結束することによって係止することができ、例えば、図７に示すような「あわび結び」を形成することができる。
【００３５】
また、図８に示すように、紐３・３の長さが互いに異なり、長い方の紐３を袋胴部材１に巻き付けることによって、袋胴部材１の正面において当該紐３・３同士を係止可能にすることもでき、外観上に対称的な均整をとることができ、贈る場面においても無礼がない。
【００３６】
この際、一方の紐３の端部31に輪部31ａを形成する一方、他方の紐３の端部31にボタン部31ｂを配設し、このボタン部31ｂを輪部31ａに挿通して端部31・31同士を係止可能にすることもできる。この際、ボタン部31ｂの形状に意匠性を付与して装飾性を向上させるとともに、係止強度を高めることもできる。
【００３７】
本発明は、概ね上記のように構成されるが、図示の実施形態に限定されるものでは決してなく、「特許請求の範囲」の記載内において種々の変更が可能であって、例えば、紐通し部11ａに設ける紐口11ｂの位置は、開口辺11の中央部近傍に限らず、紐３を延出させたい位置に応じて設けることができる。
【００３８】
また、本発明の巾着袋兼用金封包みの更に外周に、適宜、水引き飾りを装着することもできる。更にまた、袋胴部材１および袋底部材２の生地の素材や、生地の止着手段、さらに、紐３の素材や組織、端部31の形状や係止手段は、必要に応じて設計変更可能であり、これら何れのものも本発明の技術的範囲に属する。
【符号の説明】
【００３９】
１    袋胴部材
11    開口辺
11ａ  紐通し部
11ｂ  紐口
12    側辺
13    連結辺
２    袋底部材
21    開口辺
22    側辺
23    底辺
３    紐
31    端部
31ａ  輪部
31ｂ  ボタン部
Ａ    金封
【要約】
【課題】  金封を確実に収容して、かつ、金封包み本体も贈答の対象にすることができ、しかも、金封の受領後には巾着袋として使用することができる巾着袋兼用金封包みを提供すること。
【解決手段】  対面重合した略矩形の生地の側辺12を止着して、かつ、開口辺11周縁には紐３が挿通する紐通し部11ａを形成して、前記開口辺11の対辺には開口した連結辺13を形成する一方、前記紐通し部11ａの紐口11ｂから前記紐３の端部31を延出させて、袋胴部材１を形成するとともに、対面重合した略矩形の生地の側辺22かつ底辺23をそれぞれ止着して袋底部材２を形成し、この開口辺21と連結辺13とを止着して連結して、
当該袋底部材２の内側に金封Ａを収容して、袋胴部材１の外周に紐３を巻き付けて当該紐３を係止可能にする一方、袋底部材２が袋胴部材１の外側に取り出された状態で紐３を引き絞ることによって、袋胴部材１と袋底部材２とが一体をなす巾着袋を構成する。
【選択図】  図２【図１】
0005733773.tif 000002
【図２】
0005733773.tif 000003
【図３】
0005733773.tif 000004
【図４】
0005733773.tif 000005
【図５】
0005733773.tif 000006
【図６】
0005733773.tif 000007
【図７】
0005733773.tif 000008
【図８】
0005733773.tif 000009